(57)【要約】【課題】  動作する加湿装置の加湿エレメントを構成する板材から生じる接触音を防止する。【解決手段】  第１の側板と、第２の側板と、前記第１の側板と前記第２の側板を連結する連結部と、第１の側板と第２の側板に挟持される加湿エレメントを有する加湿装置であって、加湿エレメントは、板面に複数の凸部が形成された複数の板材を、各板材に形成された該凸部が積層方向に重なるように積層することにより構成され、少なくともいずれかの側板の一方には、積層されている板材を積層方向から押さえる押さえ部材が設けられ、この押さえ部材の板材の押さえ位置は、複数の凸部の内、隣り合う凸部同士を結ぶ直線上の位置であること。【選択図】図１
2011038737.tif 000002
【特許請求の範囲】
【請求項１】
第１の側板と、第２の側板と、前記第１の側板と前記第２の側板を連結する連結部と、前記第１の側板と前記第２の側板に挟持される加湿エレメントを有し、
前記加湿エレメントは、板面に複数の凸部が形成された複数の板材を、各板材に形成された該凸部が積層方向に重なるように積層することにより構成され、
少なくとも前記いずれかの側板の一方には、積層されている前記板材を積層方向から押さえる押さえ部材が設けられ、
該押さえ部材の前記板材の押さえ位置は、複数の前記凸部の内、隣り合う前記凸部同士を結ぶ直線上に位置することを特徴とする加湿部を有する加湿装置。
【請求項２】
前記隣り合う凸部は、最も近くで隣り合う一対の凸部であることを特徴とする請求項１に記載の加湿装置。
【請求項３】
第１の側板と、第２の側板と、前記第１の側板と前記第２の側板を連結する連結部と、前記第１の側板と前記第２の側板に挟持される加湿エレメントを有し、
前記加湿エレメントは、板面に複数の凸部が形成された複数の板材を、各板材に形成された該凸部が積層方向に重なるように積層することにより構成され、
少なくとも前記いずれかの側板の一方には、積層されている前記板材を積層方向から押さえる押さえ部材が設けられ、
該押さえ部材の前記板材の押さえ位置は、積層方向に重なる前記凸部と積層方向から重なる部分であることを特徴とする加湿部を有する加湿装置。
【請求項４】
第１の側板と、第２の側板と、前記第１の側板と前記第２の側板を連結する連結部と、前記第１の側板と前記第２の側板に挟持される加湿エレメントを有し、
前記加湿エレメントは、板面に複数の凸部が形成された複数の板材を、各板材に形成された該凸部が積層方向に重なるように積層することにより構成され、
少なくとも前記いずれかの側板の一方には、積層されている前記板材を積層方向から押さえる押さえ部材が設けられ、
該押さえ部材の前記板材の押さえ位置は、３箇所以上の前記凸部を結んで形成される図形の重心位置であることを特徴とする加湿部を有する加湿装置。
【請求項５】
前記押さえ部材は、弾性部材により構成されていることを特徴とする請求項１乃至４に記載の加湿装置。
【請求項６】
前記連結部材は、前記板材をガイドすることを特徴とする請求項１乃至５に記載の加湿装置。
【発明の詳細な説明】
【技術分野】
【０００１】
本発明は、板材を積層して構成する加湿エレメントを有する加湿装置に関する。
【背景技術】
【０００２】
従来から、複数の板材を所定の間隔を空けて積層して構成した積層体を有する加湿エレメントを備えた加湿装置がある。この加湿エレメントは、積層した板材が貯水容器内の水に一部が浸漬した状態で、回動して出入り可能に設置されている。
そして、このような加湿装置は、加湿エレメントを回動させることで積層体に水分を付着させ、この積層体に送風機により空気を送り込み、水分を気化させることで、空気の湿度を高めるものである（例えば、特許文献１参照）。
【先行技術文献】
【特許文献】
【０００３】
【特許文献１】実開平７−１２８３２号公報
【発明の概要】
【発明が解決しようとする課題】
【０００４】
しかしながら、上記のような加湿装置の動作中において、回動する積層体を構成する板材が、成型のバラつきや動作時の振動等により、隣り合う板材同士が接触し、接触音が発生する問題がある。
特に、より多くの加湿量を得る為に、板材が大型化し、多くの板材を積層するために、隣り合う板材の間隔が小さくなる傾向にあり、上記のような問題が発生しやすくなっている。
【０００５】
そこで本発明は、上記の問題を解決するためになされたもので、運転時の積層体を構成する板材同士の接触音を防止する加湿装置を提供することを目的とする。
【課題を解決するための手段】
【０００６】
上記の課題を解決する為には、加湿装置の加湿部において、第１の側板と、第２の側板と、前記第１の側板と前記第２の側板を連結する連結部と、前記第１の側板と前記第２の側板に挟持される加湿エレメントを有し、加湿エレメントは、板面に複数の凸部が形成された複数の板材を、各板材に形成された該凸部が積層方向に重なるように積層することにより構成され、少なくとも前記いずれかの側板の一方には、積層されている板材を積層方向から押さえる押さえ部材が設けられ、該押さえ部材の前記板材の押さえ位置は、複数の前記凸部の内、隣り合う前記凸部同士を結ぶ直線上に位置させる。
【発明の効果】
【０００７】
以上のように各部を構成すれば、押さえ部材により板材を押えることが可能となり、加湿部材が回転する際の板材の振動を抑制し、積層されている板材同士の接触音を低減することできる。
【図面の簡単な説明】
【０００８】
【図１】加湿装置の外観を示す斜視図
【図２】加湿装置の背面パネルを外した状態を示す斜視図
【図３】加湿装置の断面構成を背面側から見た縦断面図
【図４】加湿部材及び貯水容器を本体から取り外した状態を示す斜視図
【図５】一体となっている加湿部材及び貯水容器を示す斜視図
【図６】加湿部材の斜視図
【図７】第１の側板に板材が組み付けられる状態を示す斜視図
【図８】第２の側板の斜視図
【図９】（ａ）押さえ部材を前側から見た斜視図            （ｂ）押させ部材を後方より見た斜視図
【図１０】実施の形態１における加湿部の側面図
【図１１】（ａ）図１０の模式図              （ｂ）押さえ部材が接する板材を押さえ部材が接触する側から見た平面図
【図１２】実施の形態２における加湿部の側面図
【図１３】（ａ）図１２の模式図              （ｂ）押さえ部材が接する板材を押さえ部材が接触する側から見た平面図
【図１４】（ａ）実施の形態３における加湿部を側面からみた模式図              （ｂ）押さえ部材が接する板材を押さえ部材が接触する側から見た平面図
【発明を実施するための形態】
【０００９】
以下、図面を参照して、本発明の実施の形態１について説明する。
図１〜図２を参照すると、本実施の形態の加湿装置１００の外郭は、背面に開口部１ａが形成された本体１と、この開口部１ａを覆う背面パネル２と、本体１の前面に配置される着脱可能なカセット式の給水タンク６から構成されている。
【００１０】
そして、背面パネル２には、格子状の吸込口３が形成されていると共に、本体１には、上面両側部から両側面にかけて格子状の吹出口５が形成されており、送風機２７により吸込口３から吸い込まれた乾いた空気が、本体１内に設けられる加湿部１０を構成する加湿エレメント２４を通過する間に湿気が与えられて、吹出口５から吹き出されるように構成されている。
つまり、加湿装置１００は、本体１の内部に設けられているターボファンやプロペラファン等の送風機２７を含む送風手段１１を駆動することによって、乾燥空気を吸込口３から吸い込んで、この乾燥空気の湿度を高めて、吹出口５から室内等の外部に供給する。
【００１１】
次に、本体１の構造を説明する。
図１〜図４を参照すると、本体１には、送風手段１１と、加湿部１０と、貯水容器９が収容されている。送風手段１１は、送風機２７とこの送風機２７を駆動するモータを有する駆動部（図示省略）で構成されている。
また、給水タンク６は、本体１の前面上方に着脱自在に設けられており、内部に水が貯留できるように構成されている。
【００１２】
そして、本体１の内部下側には、貯水タンク６からの水を貯水するとともに、加湿部１０を保持する貯水容器９が設けられている。加湿部１０は、使用時に貯水容器９に保持され、この貯水容器９と一体的に本体１から着脱自在な構造となっている。
【００１３】
次に、図５〜図６を参照すると、加湿部１０は、第１の側板１６と、第２の側板２３と、第１の側板１６と第２の側板２３とに挟持された加湿エレメント２４とで構成されており、第１の側板１６、第２の側板２３及び加湿エレメント２４には送風手段１１の外径よりも大きな開口部Ｋが形成されている。つまり、加湿部１０は、リング形状である。
また、この加湿エレメント２４は、複数枚のリング形状の板材２４ａを所定の間隔をあけて積層することにより構成されている。
【００１４】
また、加湿部１０を保持した貯水容器９を本体１に組み付けた状態において、送風手段１１が周状に構成された加湿部１０の開口部Ｋから内側に挿入され、加湿エレメント２４の内周と送風手段１１の外周が、重なるように収容される配置となっている。
このように、加湿部１０に、送風手段１１の外径よりも大きな開口部を設けることによって、送風手段１１と干渉することなく、加湿部１０及び貯水容器９を一体的に本体１から着脱できるようになっている。
【００１５】
次に、図４〜図５を参照すると、本体１には、加湿部１０を回転駆動する、モータを有する駆動手段１５が設けられている。また、加湿部１０には、駆動手段１５からの回転力が伝達され、加湿部１０を回転移動させる従動手段１７が設けられている。
すなわち、加湿装置１００を組み立てた状態では、駆動手段１５と従動手段１７とが噛合い、駆動手段１５の駆動力が従動手段１７に伝達され、加湿部１０が回転駆動するよう構成されている。
【００１６】
次に、図３及び図５を参照すると、貯水容器９内部には、貯水容器９の背面側壁面と背面側壁面とを渡すように、２本の支持手段２０が設けられている。この支持手段２０は、貯水容器９内の側面両側に配置されている。
また、この支持手段２０は、貯水容器９内に取り付けられた状態において回転自在である。つまり、加湿部１０は、回転自在な支持手段２０を介して、貯水容器９に回転移動自在に支持される。
【００１７】
次に、図３を参照すると、貯水容器９には、給水タンク６から水が供給される。給水タンク６からの水は、貯水容器９に設けられている給水部（図示せず）で受け取られ、貯水容器９に貯水されるように構成されている。
この水は、貯水容器９内に貯水され、所定の水位（水面位置２８）となる。この時、加湿エレメント２４は、加湿部１０の回転移動に伴って回転移動するが、加湿エレメント２４の一部は、常に貯水容器９内の水の水面位置２８と同等か、それよりも低い位置に配置され浸漬されるようになっている。
尚、水面２８は、加湿エレメント２４の一部が浸漬する水位である。
【００１８】
以上のように構成された貯水容器９と加湿部１０は、次のように加湿部１０が貯水容器９に保持された状態で、本体１に着脱自在に設けられる。
図４を参照すると、加湿部１０が貯水容器９に保持された状態において、加湿部１０及び貯水容器９を背面方向（矢印Ｂ）に引き出せば、一体的に本体１から取り外すことができ、加湿部１０及び貯水容器９を前面方向（矢印Ａ）に組み入れれば、一体的に本体１に取り付けることができる。
【００１９】
加湿部１０を本体１に取り付けた状態においては、送風手段１１が加湿部１０の開口部から内側に挿入され、加湿エレメント２４の内周と送風手段１１の外周とが重なるように収容される配置となっている。
この加湿部１０は、本体１の背面側の内壁面に設けられているモータ等の駆動手段１５によって、回転駆動するように構成されている。
つまり、駆動手段１５の駆動カム１８と従動手段１７の従動ギア１９とが噛合い、駆動手段１５の駆動力が従動手段１７に伝達され、加湿部１０が回転駆動するようになっている。
【００２０】
ここで、図５を参照すると、第１の側板１６には、従動手段１７を構成する従動ギア１９が形成されており、駆動手段１５からの回転駆動力が伝達されるようになっている。
駆動手段１５を構成する駆動カム１８と従動ギア１９とを直接噛み合わせてもよいが、駆動カム１８と従動ギア１９との間に変速ギア３２を設けるようにしてもよい。
変速ギア３２は、駆動手段１５から伝達される回転駆動力を変速するものである。つまり、変速ギア３２は、従動ギア１９と噛み合うようになっており、駆動手段１５からの駆動力が従動カム３３を介して伝達され、この駆動力を変速して従動ギア１９に伝達する。
【００２１】
次に、加湿部１０について詳述する。
図６を参照すると、加湿部１０は、第１の側板１６と、第２の側板２３と、第１の側板１６と第２の側板２３とに挟持される加湿エレメント２４で構成されている。第１の側板１６、第２の側板２３及び加湿エレメント２４は、それぞれ中央部が送風手段１１の外径よりも大きな径の開口が形成されたリング形状である。
【００２２】
次に、図７を参照すると、第１の側板１６には、板面から垂直に立設する第１の連結部４０と第２の連結部４１、及び、周状に従動ギア１９が一体的に形成されている。
この第１の連結部４０には、先端部に雌ねじ４０ａが形成されている。また、第２の連結部４１は、円筒形状であり、外周面に第１の側板１６の面から先端にかけて凸部４１ａが形成され、先端部に雌ねじ４１ｂが形成されている。
【００２３】
次に、図８を参照すると、第２の側板２３には、底に透孔２３ｃが形成された凹部２３ａと、第２の連結部４１の外形状と略一致する透孔２３ｂが形成されている。また、第２の側板２３の凹部２３ａが形成されている板面には、ゴムなど柔軟性のある弾性変形可能な材料で形成されている押さえ部材２３ｄが取り付けられている。
【００２４】
ここで図９を参照すると、押さえ部材２３ｄは、第２の側板２３の板面とは逆方向に開放した形状（円錐形状）であり、第２の側板２３に取り付けた状態において開放端面２３ｆは第２の側板２３の板面と平行であり、切り欠き２３ｅを形成することにより、押圧された際に変形しやすく構成されている。
また、開放端面２３ｆとは反対側の端には、取付部２３ｇが形成されており、この取付部２３ｇが第２の側板２３に形成される取付孔（図示せず）に嵌合することで、押さえ部材２３ｄが第２の板材２３に取付けられている。
【００２５】
次に、図６〜図７を参照すると、加湿エレメント２４は、複数のリング形状の板材２４ａを積層することにより構成されている。この板材２４ａには、第１の連結部４０の外形より大きな透孔２４ｂと、第２の連結部４１の外形状と略一致する透孔２４ｃが形成されている。
また、板材２４ａの片面には、板面から突出する複数の凸部２４ｄが所定の間隔で整列して形成されている。この凸部２４ｄは、いずれも板面からの高さが略一致するように構成されている。
【００２６】
尚、加湿エレメント２４を構成するリング状の板材２４ａは、通過する気流の温度の影響を受けても形状が保てるような材料で構成されればよい例えば、ＡＢＳ（アクリロニトリル・ブタジエン・スチレン）や、ＡＳ（アクリロニトリル・スチレン）、ＰＳ（ポリスチレン）等の樹脂材料で成型するとよい。
また、加湿エレメント２４は、リング状に構成されていればよく、特に形状を限定するものではない。この加湿エレメント２４は、送風手段１１の外周の少なくとも一部を取り囲むように構成され、送風手段１１の周辺を可動できるように構成されていればよい。
【００２７】
これらの第１の側板１６，第２の側板２３，加湿エレメント２４の板材２４ａを、次のように組み合わせることにより、加湿部１０を構成されている。
まず、第１の側板１６に形成された第１の連結部４０と第２の連結部４１を、それぞれ板材２４ａに形成された透孔２４ｂと透孔２４ｃに通すことにより、板材２４ａが第１の側板１６に積層して取り付けられる。
【００２８】
この時、板材２４ａは、板面に形成された凸部２４ｄを同じ方向に向けた状態で、複数枚積層して取り付けられる。これにより、隣り合う板材２４ａの板面の間に、凸部２４ｄが介在することで、所定の隙間が形成される。
また、同じ形状の板材２４ａを積層するので、隣り合う凸部２４ｄは積層方向に重なった状態で、板材２４ａ同士の隙間を形成する。
【００２９】
更に、第２の連結部４１の外形と透孔２４ｃの穴形状は略一致することから、板材２４ａは第１の側板１６に対して、板面方向の位置が固定される。つまり、第２の連結部２４は、板材２４ａを第１の側板１６に対して積層して取り付ける際のガイド部及び位置決め部としての機能を有するものである。
【００３０】
上記のように、第１の側板１６に所定の厚さまで板材２４ａが積層されて加湿エレメント２４を構成した状態において、第２の側板２３に形成された凹部２３ａに第１の側板１６の第１の連結部４０の先端が挿入されると共に、透孔２３ｂに第２の連結部４１の先端部が挿入される。
そして、第１の連結部４０と第２の連結部４１にそれぞれ形成された雌ねじに、締結用雄ねじ４６を透孔２３ｃ及び透孔２３ｂを通してねじ止めする（図１、４参照）ことで、第２の側板２３が第１の側板１６に固定される。
【００３１】
この状態で、第１の側板１６と第２の側板２３と加湿エレメント２４を構成する各板材２４ａは、それぞれの板面同士が略平行となるように、各部が組み合わされている。
これにより、第１の側板１６と第２の側板２３に挟まれた状態で、板材２４ａの積層状態が保たれる。
【００３２】
この時、図１０〜図１１を参照すると、第２の側板２３に設けられた押さえ部材２３ｄは、第２の側板２３に一番近くに位置する板材２４ａを開放端面２３ｆで面接触して押圧した状態で、弾性変形して第２の側板面に接触している。
また、押さえ部材２３ｄは、押さえ部材２３ｄが板材２４ａに接触する位置（押さえ位置）Ｐ１が、隣り合う凸部２４ｄ同士を結ぶ略直線上に位置するように、第２の側板２３に設けられている。
【００３３】
尚、本実施の形態１において、隣り合う凸部２４ｄは、一番近くで隣り合う一対の凸部２４ｄであり、この凸部２４ｄ同士を結ぶ直線上に押さえ位置Ｐ１が位置している。
（図１１（ｂ）は、押さえ位置Ｐ１と凸部２４ｄの位置を示す概略図であり、押さえ位置Ｐ１側から板材２４ａを見た図である。従って、凸部２４ｄは図において、板材２４ａの裏側に位置する。）
【００３４】
次に、以上のように各部を構成した加湿装置１００の動作について説明する。
加湿装置１００においては、まず、給水タンク６に貯留されている水が貯水容器９に給水される。このとき、貯水容器９内における貯水量は、水面２８の水位となるよう調整される。
【００３５】
また、加湿部１０を構成する加湿エレメント２４は、周状の一部が貯水容器９内の水面２８よりも下方に位置している。そして、加湿部１０は、駆動手段１５の駆動力が従動手段１７に伝達され、送風手段１１の外周に沿って回転移動する。
加湿部１０が回転することによって、加湿エレメント２４には、貯水容器９内の水が周期的に保水される。
【００３６】
一方、加湿装置１００内の気流の流れは、送風機２７が回転することによって生じる。この気流は、加湿装置１００の背面側に形成されている吸込口３より吸い込まれ、送風機２７に吸引される。送風機２７に吸引された気流は、この送風機２７の外周全周から加湿エレメント２４の内周に向かって吹き出される。
つまり、送風機２７の外周及び加湿エレメント２４の内周は、重なることから、送風機２７から吹き出される気流は、直接加湿エレメント２４に送風される。
【００３７】
そして、この気流によって、加湿エレメント２４の間を通過する過程で加湿エレメント２４に保水された水分が気化される。この気化された水分により、加湿装置１００内に吸引した空気が加湿される。この加湿された空気は、加湿部１０の外周から本体１の側面及び上面に形成されている吹出口５を経て、本体１から吹き出される。
【００３８】
以上の加湿装置１００において、加湿エレメント２４を構成要素として含む加湿部１０の回転動作によって、加湿エレメント２４が貯水容器９内に貯水されている水に周期的に出入りすることが可能になっている。
つまり、加湿エレメント２４は、回転することによって貯水容器９内に貯水されている水で周期的に保水されるようになっており、加湿量を向上させることができるとともに、空気の加湿を安定的に行なうことが可能になる。
【００３９】
また、この時、第２の側板２３に設けられた押さえ部材２３ｄは、第２の側板２３に一番近くに位置する板材２４ａを押圧した状態で、弾性変形して第２の側板面に接触する。
これにより、押さえ部材２３では、自らの弾性力で板材２４ａを押え、加湿部１０が回転する際の板材２４ａの振動を抑制し、板材２４ａ同士の接触音を低減することが可能となる。
【００４０】
更に、押さえ部材２３ｄは、押さえ部材２３ｄが第２の側板２３に接触する位置Ｐが、隣り合う凸部２４ｄ同士を結ぶ略直線上（重なる位置も含む）に位置する、つまり、凸部２４ａに支持される部分であるので、押さえ部材２３ｄにより板材２４ａを押圧しても、凸部２４ｄと凸部２４ｄに挟まれていない部位を押圧した場合に比べて、板材２４ａは大きく撓むことが無い。
特に、本実施の形態のように、一番近くで隣り合う凸部２４ｄ同士を結ぶ直線上、つまり、凸部２４ｄに支持される一番狭い部分を押さえ部材２３ｄで押えるので、押さえ部材３ｄから作用する力による板材２４ａの撓みを一番小さくすることが可能である。
【００４１】
これにより、押さえ部材２３ｄにより板材２４ａを強固に抑えることが可能となり、接触音をより低減させることが可能であると共に、板材２４ａを大きく撓ませることが無いので、加湿エレメント２４内を流れる風の流下効率を損なうことが無い。
また、隣り合う凸部２４ｄの間を押さえ部材２３ｄで押圧することから、同時に複数の積層方向に連なる凸部２４ｄを押えることが可能である。つまり、１つの押さえ部材２３ｄで、より広い範囲の板材２４ａの振動を抑制することが可能となる。
【００４２】
特に、隣り合う凸部２４ｄの間の中心に、押さえ部材２３ｄを位置させることで、押さえ部材２３ｄと隣り合う各凸部２４ｄの距離が同じになる。これにより、押さえ部材２３の弾性力により隣り合う一対の凸部２４ｄに作用する力が均一となり、バランスよく板材を抑えることができる。
また、押さえ部材２３ｄの開放端面２３ｆは、板材２４ａの面と面接触しているので、使用時に板材が動いても、押さえ部材２３ｄが板材に接触した状態で、動きに倣って弾性変形するので、板面に対して広い面で押圧力を付与することが可能である。
【００４３】
実施の形態２
次に、実施の形態２について、図面を参照して説明する。尚、実施の形態２は、実施の形態１の押さえ部材２３ｄが押さえる板材２４ａの位置の変形例である。従って、実施の形態１と同一の構成については、同一の符号を付し、説明を省略する。
【００４４】
図１２〜図１３を参照すると、実施の形態１と同様に、加湿エレメント２４が板材２４ａを積層することにより構成されている。
この状態において、第２の側板２３に設けられた押さえ部材２３ｄは、第２の側板２３に一番近くに位置する板材２４ａを押圧した状態で、弾性変形して第２の側板面に接触している。
そして、この押さえ部材２３ｄは、押さえ部材２３ｄが板材２４ａに接触する位置（押さえ位置）Ｐ２が、凸部２４ｄの積層方向に位置するように、第２の側板２３に設けられている。
【００４５】
つまり、押さえ部材２３ｄの板材の押さえ位置Ｐ２は、積層方向に重なる前記凸部を積層方向から重なる位置である。
（尚、図１３（ｂ）は、押さえ位置Ｐ１と凸部２４ｄの位置を示す概略図であり、押さえ位置Ｐ２側から板材２４ａを見た図である。従って、凸部２４ｄは図において、板材２４ａの裏側に位置する。）
【００４６】
以上のように各部を構成されているので、第２の側板２３に設けられた押さえ部材２３ｄは、第２の側板２３に一番近くに位置する板材２４ａを押圧した状態で、弾性変形して第２の側板面に接触しているので、所定の弾性力で板材２４ａを押え、加湿部１０が回転する際の板材２４ａの振動を抑制し、板材２４ａ同士の接触音を低減することが可能となる。
【００４７】
特に、押さえ部材２３ｄは、第２の側板２３との接触する位置Ｐ２が、凸部２４ｄの積層方向に位置するので、凸部２４ｄを板材２４ａの積層方向から直接押える構成となる。
これにより、押さえ部材２３ｄからの押圧力を凸部２４ｄが受けるので、板材２４ａを撓ませること無く板材２４ａに生じる振動を抑制することが可能となる。
【００４８】
実施の形態３
次に、実施の形態３について、図面を参照して説明する。尚、実施の形態３は、実施の形態１の押さえ部材２３ｄが押さえる板材２４ａの位置の変形例である。従って、実施の形態１と同一の構成については、同一の符号を付し、説明を省略する。
【００４９】
図１４を参照すると、実施の形態１と同様に、加湿エレメント２４が板材２４ａを積層することにより構成されている。
この状態において、第２の側板２３に設けられた押さえ部材２３ｄは、第２の側板２３に一番近くに位置する板材２４ａを押圧した状態で、弾性変形して第２の側板面に接触している。
【００５０】
そして、押さえ部材２３ｄが板材２４ａに接触する位置（押さえ位置）Ｐ３は、３箇所の凸部２４ｄを結んで形成される図形の重心位置Ｇと重なるように構成されている。
（図１４（ｂ）は、押さえ位置Ｐ３と各凸部２４ｄの位置を示す概略図であり、押さえ位置Ｐ２側から板材２４ａを見た図である。従って、凸部２４ｄは図において、板材２４ａの裏側に位置する。）
【００５１】
以上のように各部が構成されているので、第２の側板２３に設けられた押さえ部材２３ｄは、第２の側板２３に一番近くに位置する板材２４ａを押圧した状態で、弾性変形して第２の側板面に接触しているので、所定の弾性力で板材２４ａを押え、加湿部１０が回転する際の板材２４ａの振動を抑制し、板材２４ａ同士の接触音を低減することが可能となる。
【００５２】
特に、押さえ部材２３ｄは、第２の側板２３との接触する位置Ｐ３が、３箇所の凸部２４ｄを結んで形成される図形の重心位置Ｇに位置するので、押さえ部材２３ｄから作用する押圧力が３箇所の凸部２４ｄに対して、バランスよく作用する。
これにより、押さえ部材２３ｄからの押圧力を各凸部２４ｄが受けるので、板材２４ａを大きく撓ませること無く板材２４ａに生じる振動を抑制することが可能となる。
また、複数の凸部２４ｄに対して１つの押さえ部材２３を用いるので、より少ない個数の押さえ部材２４ｄで、板材２４ａの振動を抑制することが可能となる。
【００５３】
尚、本実施の形態において、３箇所の凸部２４ｄに対する押さえ部材２３ｄの接触する位置を説明したが、４箇所以上の凸部に対しても、それらの凸部を結んで構成した図形の重心位置を押さえ部材２３ｄの押さえ位置とすることで、本実施の形態は適用することが可能である。
【００５４】
以上各実施の形態において、加湿エレメント２４は、片面に凸部２４ｄが形成された板材２４ａを、凸部２４ｄが同じ方向に向いた状態で積層したものを用いて説明したが、この形態に限るものではない。
例えば、両面に凸部が形成された板材を積層して加湿エレメントを構成しても良い。この場合、両面に形成された凸部は、板材の積層方向に重なる板面上に位置するように構成されると良い。
【００５５】
また、各実施の形態において、板材は全て同一形状のものを用いて加湿エレメントを構成しているが、この形態に限るものではない。
例えば、凸部の板面上の位置が異なる板材を複数種類組み合わせて、加湿エレメントを構成しても良い。つまり、このような加湿エレメントにおいても、板材の積層方向に凸部が重なり合えば、本発明は実施可能である。
更に、各実施の形態において、押さえ部材２３ｄは、第２の側板２３に設けられているが、第１の側板１６に設けてもよい。
【符号の説明】
【００５６】
１００  加湿装置
１  本体
２  背面パネル
３  吸込口
５  吹出口
６  給水タンク
９  貯水容器
１０  加湿部材
１１  送風手段
１６  第１の側板
２３  第２の側板
２３ｄ  押さえ部材
２４  加湿エレメント
２４ａ  板材
２４ｄ  凸部
Ｐ１  押さえ位置（実施の形態１）
Ｐ２  押さえ位置（実施の形態２）
【図１】
2011038737.tif 000003
【図２】
2011038737.tif 000004
【図３】
2011038737.tif 000005
【図４】
2011038737.tif 000006
【図５】
2011038737.tif 000007
【図６】
2011038737.tif 000008
【図７】
2011038737.tif 000009
【図８】
2011038737.tif 000010
【図９】
2011038737.tif 000011
【図１０】
2011038737.tif 000012
【図１１】
2011038737.tif 000013
【図１２】
2011038737.tif 000014
【図１３】
2011038737.tif 000015
【図１４】
2011038737.tif 000016